(57)【要約】      （修正有） 【課題】簡単な機構からなり、戻し忘れのようなヒューマンエラーを少しでもなくし、事故等が起きないように視覚により注意を喚起させるスイッチ操作モード識別機構及びこれを備えた切替スイッチの操作ノブを提供する。  【解決手段】所定の角度を回動させることにより２つの操作モードを設定する切替スイッチの操作ノブ１４１の前面に配置されるスイッチ操作モード識別機構であって、手前側に位置する第１の部材１１と、該第１の部材の後側に位置する第２の部材１３とを有し、かつ前記第１の部材と前記第２の部材とは色彩が異なり、前記操作ノブが一方の操作モード位置から他方の操作モード位置へ回動されると、前記第１の部材１１が重力の作用で移動して、前記第２の部材１３が操作ノブ前方から視認されるように構成した。  【選択図】図３
0003143833.tif 000002
【実用新案登録請求の範囲】
【請求項１】
所定の角度を回動させることにより２つの操作モードを設定する切替スイッチの操作ノブの前面に配置されるスイッチ操作モード識別機構であって、
手前側に位置する第１の部材と、該第１の部材の後側に位置する第２の部材とを有し、かつ前記第１の部材と前記第２の部材とは色彩が異なり、前記操作ノブが一方の操作モード位置から他方の操作モード位置へ回動されると、前記第１の部材が重力の作用で移動して、前記第２の部材あるいは第１の部材が操作ノブ前方から視認されるように構成したことを特徴とするスイッチ操作モード識別機構。
【請求項２】
前記第１の部材と前記第２の部材は円板状に形成されているとともに、重なり合わせた状態で端部近傍をピンにて互いに回動自在に連結され、かつ前記スイッチの操作ノブが一方の操作モードを指示している状態で、前記第１の部材と前記第２の部材とが重なり合うように前記第２の部材を操作ノブの前面に貼着するようにしたことを特徴とする請求項１記載のスイッチ操作モード識別機構。
【請求項３】
前記第１の部材の色彩は操作ノブの前面の色彩と同一又は近似した系統で、前記第２の部材の色彩は赤色系統であることを特徴とする請求項１又は２記載のスイッチ操作モード識別機構。
【請求項４】
所定の角度を回動させることにより２つの操作モードを設定する切替スイッチの操作ノブにおいて、該切替スイッチの操作ノブの前面にスイッチ操作モード識別機構が配置された切替スイッチの操作ノブであって、
操作ノブの前面に位置し、手前側に第１の部材を、該第１の部材の後側に第２の部材が配置され、かつ前記第１の部材と前記第２の部材とは色彩が異なり、前記操作ノブが一方の操作モード位置から他方の操作モード位置へ回動されると、前記第１の部材が重力の作用で移動して、前記第２の部材が操作ノブ前方から視認されるように構成したことを特徴とする切替スイッチの操作ノブ。
【請求項５】
前記第１の部材と前記第２の部材は円板状に形成されているとともに、重なり合わせた状態で端部近傍をピンにて互いに回動自在に連結され、かつ前記スイッチの操作ノブが一方の操作モードを指示している状態で、前記第１の部材と前記第２の部材とが重なり合うように前記第２の部材を操作ノブの前面中央に配置し、かつ前記第１の部材の前面には中央部に覗窓が形成された上蓋が設けられていることを特徴とする請求項４記載の切替スイッチの操作ノブ。
【請求項６】
前記第１の部材の色彩は操作ノブの前面の色彩と同一又は近似した系統で、前記第２の部材の色彩は赤色系統であることを特徴とする請求項４又は５記載の切替スイッチの操作ノブ。
【請求項７】
前記第１の部材は寒色系統の色彩を有し、前記第２の部材はその外径が前記操作ノブの外径に近い円板状で、その一部に前記第１の部材がその上を移動可能な棚部を有するとともに、色彩は赤色系統に形成され、かつ前記第１の部材の前面には前記操作ノブが前記一方の操作モードに位置する時には第１の部材が視認でき、前記他方の操作モードに回動されたときに第１の部材が重力の作用で前記第２の部材の棚部を転動した際に第２の部材が視認される位置に覗窓が形成された上蓋が設けられていることを特徴とする請求項４記載の切替スイッチの操作ノブ。
【請求項８】
前記第１の部材が寒色系統の色彩を有する液体で、前記第２の部材はその外径が前記操作ノブの外径に近い円板状で、その一部に前記第１の部材が収納可能な棚部を有するとともに、色彩は赤色系統に形成され、かつ前記第１の部材の前面には前記操作ノブが前記一方の操作モードに位置する時には第１の部材が視認でき、前記他方の操作モードに回動されたときに第１の部材が重力の作用で前記第２の部材の棚部を移動した際に前記第２の部材が視認される位置に覗窓が形成された上蓋が設けられていることを特徴とする請求項４記載の切替スイッチの操作ノブ。
【請求項９】
所定の角度を回動させることにより２つの操作モードを設定する切替スイッチの操作ノブにおいて、該切替スイッチの操作ノブの前面にスイッチ操作モード識別機構が配置された切替スイッチの操作ノブであって、
操作ノブの前面に位置し、手前側に第１の部材を、該第１の部材の後側に第２の部材が配置され、かつ前記第１の部材と前記第２の部材とは色彩が異なり、前記操作ノブが一方の操作モード位置から他方の操作モード位置へ回動されると、前記第１の部材が重力の作用で移動して、該第１の部材が操作ノブ前方から視認されるように構成したことを特徴とする切替スイッチの操作ノブ。
【請求項１０】
前記第１の部材は赤色系統の色彩を有し、前記第２の部材はその外径が前記操作ノブの外径に近い円板状で、その一部に前記第１の部材がその上を移動可能にした棚部を有するとともに、色彩は寒色系統に形成され、かつ前記第１の部材の前面には前記操作ノブが他方の操作モードに回動されたときに重力の作用で前記第２の部材の棚部を移動した第１の部材が到達する位置に覗窓が形成された上蓋が設けられていることを特徴とする請求項９記載の切替スイッチの操作ノブ。
【請求項１１】
前記第１の部材は赤色系統の色彩を有する液体で、前記第２の部材はその外径が前記操作ノブの外径に近い円板状で、その一部に前記第１の部材を収納可能な棚部を有するとともに、色彩は寒色系統に形成され、かつ前記第１の部材の前面には前記操作ノブが前記他方の操作モードに回動されたときに重力の作用で前記第２の部材の棚部を移動した第１の部材が到達する位置に覗窓が形成された上蓋が設けられていることを特徴とする請求項９記載の切替スイッチの操作ノブ。
【考案の詳細な説明】
【技術分野】
【０００１】
機械装置の電気的操作モードを設定するために操作盤に設けられている切替スイッチの操作モードの位置を視認し易くして、誤操作や戻し忘れを防止するためのスイッチ操作モード識別機構及びこれを備えた切替スイッチの操作ノブに関するものである。
【背景技術】
【０００２】
従来から、操作スイッチがオン・オフ或いは自動・手動のいずれかに操作されているかを識別するために、操作スイッチの指示位置によって色彩を変えて視認しやすくしたものが種々用いられている。
例えば、個室のドアのカギなどで、室内に居る人が中にいることを室外に居る人に示し、且つ室内に入れないことを知らせるために、ドアのスライド錠をスライドさせると、室外からはその部分が赤色に変わり在室中として、外から室内部に入れないことを知らせるようにしたものがある。それ以外にも、室外の人に入室を警告する意味で入室禁止等の赤色ランプを点灯させる方法なども用いられている。
【０００３】
また、特許文献１に記載されているように、操作スイッチがロック状態であるか否かを一目で容易に識別することを可能とするものもある。
具体的には、この操作スイッチは、接点を有する接点部と、この接点部の接点を切り替え操作するための手動操作部材を有する操作部を備え、手動操作部材の側面に沿うハウジングが配置され、このハウジングには少なくとも一箇所ににロック確認穴が設けられるとともに、手動操作部材の側面にはロック状態表示部が設けられており、このロック状態表示部は、手動操作部材がハウジングに対して回転移動したときハウジングのロック確認穴に合致して、ロック確認穴から視認可能となるように構成されたものである。
【０００４】
また、特許文献２には、操作スイッチが触れることで生じる温度変化によって色変化を起こし、操作スイッチの作動状況を視認させるようにしたスイッチが開示されている。
【０００５】
【特許文献１】特開２００７−２０７６１１号公報
【特許文献２】特開２００１−９３３７４号公報
【考案の開示】
【考案が解決しようとする課題】
【０００６】
プラント類には様々な設備が設置されており、その設備の操作盤のほとんどにモード切替スイッチが取り付けられている。モード切替スイッチは、例えば通常運転時には自動モード等に設定されており、設備の点検作業する場合等では手動モード等に切り替えて各設備の状態をテストしたり、また調子の悪いところがあればその時に修理したりしている。
この場合、モード切替スイッチを手動モード等にしたままモードの戻し忘れがあると、重大なトラブルを発生させる恐れがある。
例えば、下水道の場合に、設備は正常に動作するとしても、操作スイッチの戻し忘れがあると、雨水ポンプや発電機等が運転せず雨水排除等の動作を行われず、豪雨時に排水区域である市街地に冠水が生じ、住民に大きな被害を及ぼす可能性もある。また、最近の設備では、遠隔監視操作が行われており、戻し忘れがあると装置が置かれている現場まで出向き、自動モードに戻さなければならないが、その間に冠水する危険性が高くなる。病院の場合は、停電時に発電機が自動で運転されなければ手術中の患者の生命さえ危険にさらされることになる。
特許文献１に記載のものは、スイッチのロック確認穴に顔を近づけて見る必要があり、もともとドアのカギの色変化と同じ仕組みである。これでは、遠方から確認することが困難である。また、特許文献２に記載のものは、電子装置になっていて複雑でコストもかかるし、図１４に示すプラント類の操作盤１４０の操作スイッチ（操作ノブ）１４１としては適当ではない。
【０００７】
本考案の課題は、簡単な機構からなり、戻し忘れのようなヒューマンエラーを少しでもなくし、事故等が起きないように視覚により注意を喚起させるスイッチ操作モード識別機構及びこれを備えた切替スイッチの操作ノブを提供することにある。
【課題を解決するための手段】
【０００８】
請求項１記載の考案は、所定の角度を回動させることにより２つの操作モードを設定する切替スイッチの操作ノブの前面に配置されるスイッチ操作モード識別機構であって、手前側に位置する第１の部材と、該第１の部材の後側に位置する第２の部材とを有し、かつ前記第１の部材と前記第２の部材とは色彩が異なり、前記操作ノブが一方の操作モード位置から他方の操作モード位置へ回動されると、前記第１の部材が重力の作用で移動して、前記第２の部材あるいは第１の部材が操作ノブ前方から視認されるように構成したことを特徴としている。
【０００９】
請求項２記載の考案は、請求項１記載のスイッチ操作モード識別機構において、前記第１の部材と前記第２の部材は円板状に形成されているとともに、重なり合わせた状態で端部近傍をピンにて互いに回動自在に連結され、かつ前記スイッチの操作ノブが一方の操作モードを指示している状態で、前記第１の部材と前記第２の部材とが重なり合うように前記第２の部材を操作ノブの前面に貼着するようにしたことを特徴している。
【００１０】
請求項３記載の考案は、請求項１又は２記載のスイッチ操作モード識別機構において、前記第１の部材の色彩は操作ノブの前面の色彩と同一又は近似した系統で、前記第２の部材の色彩は赤色系統であることを特徴としている。
【００１１】
請求項４記載の考案は、所定の角度を回動させることにより２つの操作モードを設定する切替スイッチの操作ノブにおいて、該切替スイッチの操作ノブの前面にスイッチ操作モード識別機構が配置された切替スイッチの操作ノブであって、前記操作ノブの前面に位置し、手前側に第１の部材を、該第１の部材の後側に第２の部材が配置され、かつ前記第１の部材と前記第２の部材とは色彩が異なり、前記操作ノブが一方の操作モード位置から他方の操作モード位置へ回動されると、前記第１の部材が重力の作用で移動して、前記第２の部材が操作ノブ前方から視認されるように構成したことを特徴としている。
【００１２】
請求項５記載の考案は、請求項４又は５記載の切替スイッチの操作ノブにおいて、前記第１の部材と前記第２の部材は円板状に形成されているとともに、重なり合わせた状態で端部近傍をピンにて互いに回動自在に連結され、かつ前記スイッチの操作ノブが一方の操作モードを指示している状態で、前記第１の部材と前記第２の部材とが重なり合うように前記第２の部材を操作ノブの前面中央に配置し、かつ前記第１の部材の前面には中央部に覗窓が形成された上蓋が設けられていることを特徴としている。
【００１３】
請求項６記載の考案は、請求項４又は５記載の切替スイッチの操作ノブにおいて、前記第１の部材の色彩は操作ノブの前面の色彩と同一又は近似した系統で、前記第２の部材の色彩は赤色系統であることを特徴としている。
【００１４】
請求項７記載の考案は、請求項４記載の切替スイッチの操作ノブにおいて、前記第１の部材は寒色系統の色彩を有し、前記第２の部材はその外径が前記操作ノブの外径に近い円板状で、その一部に前記第１の部材がその上を移動可能な棚部を有するとともに、色彩は赤色系統に形成され、かつ前記第１の部材の前面には前記操作ノブが前記一方の操作モードに位置する時には第１の部材が視認でき、前記他方の操作モードに回動されたときに第１の部材が重力の作用で前記第２の部材の棚部を転動した際に第２の部材が視認される位置に覗窓が形成された上蓋が設けられていることを特徴としている。
【００１５】
請求項８記載の考案は、請求項４記載の切替スイッチの操作ノブにおいて、前記第１の部材が寒色系統の色彩を有する液体で、前記第２の部材はその外径が前記操作ノブの外径に近い円板状で、その一部に前記第１の部材が収納可能な棚部を有するとともに、色彩は赤色系統に形成され、かつ前記第１の部材の前面には前記操作ノブが前記一方の操作モードに位置する時には第１の部材が視認でき、前記他方の操作モードに回動されたときに第１の部材が重力の作用で前記第２の部材の棚部を移動した際に前記第２の部材が視認される位置に覗窓が形成された上蓋が設けられていることを特徴としている。
【００１６】
請求項９記載の考案は、所定の角度を回動させることにより２つの操作モードを設定する切替スイッチの操作ノブにおいて、該切替スイッチの操作ノブの前面にスイッチ操作モード識別機構が配置された切替スイッチの操作ノブであって、操作ノブの前面に位置し、手前側に第１の部材を、該第１の部材の後側に第２の部材が配置され、かつ前記第１の部材と前記第２の部材とは色彩が異なり、前記操作ノブが一方の操作モード位置から他方の操作モード位置へ回動されると、前記第１の部材が重力の作用で移動して、該第１の部材が操作ノブ前方から視認されるように構成したことを特徴としている。
【００１７】
請求項１０記載の考案は、請求項９記載の切替スイッチの操作ノブにおいて、前記第１の部材は赤色系統の色彩を有し、前記第２の部材はその外径が前記操作ノブの外径に近い円板状で、その一部に前記第１の部材がその上を移動可能にした棚部を有するとともに、色彩は寒色系統に形成され、かつ前記第１の部材の前面には前記操作ノブが他方の操作モードに回動されたときに重力の作用で前記第２の部材の棚部を移動した第１の部材が到達する位置に覗窓が形成された上蓋が設けられていることを特徴としている。
【００１８】
請求項１１記載の考案は、請求項９記載の切替スイッチの操作ノブにおいて、前記第１の部材は赤色系統の色彩を有する液体で、前記第２の部材はその外径が前記操作ノブの外径に近い円板状で、その一部に前記第１の部材を収納可能な棚部を有するとともに、色彩は寒色系統に形成され、かつ前記第１の部材の前面には前記操作ノブが前記他方の操作モードに回動されたときに重力の作用で前記第２の部材の棚部を移動した第１の部材が到達する位置に覗窓が形成された上蓋が設けられていることを特徴としている。
【考案の効果】
【００１９】
請求項１〜３記載の考案によれば、プラント類の操作盤に現在取り付けられているモード切替スイッチの操作ノブの前面に配置するだけで、操作ノブが一方の操作モード位置から他方の操作モード位置へ回動されると、前記第１の部材が重力の作用で移動して、前記第２の部材が操作ノブ前方から視認される。第２の部材を赤色系統の色彩としておけば、遠方からも目立って、操作ノブが示すモードが明確になり、戻し忘れなどを防止することができる。また、仮に操作者が戻し忘れをしたとしても、通りかかった点検者等によって発見され、未然にヒューマンエラーによる事故を減少・防止することができる。
【００２０】
請求項４〜１１記載の考案によれば、プラント類の操作盤に現在取り付けられているモード切替スイッチの操作ノブをこの操作ノブに交換するか、或いは最初からこの操作ノブを使用することで、操作ノブが一方の操作モード位置から他方の操作モード位置へ回動されると、前記第１の部材が重力の作用で移動して、前記第２の部材が操作ノブ前方から視認される。第２の部材を赤色系統の色彩としておけば、遠方からも目立って、操作ノブが示すモードが明確になり、戻し忘れなどを防止することができる。
また、場合によっては、操作ノブが一方の操作モード位置から他方の操作モード位置へ回動されると、前記第１の部材が重力の作用で移動して、該第１の部材が操作ノブの蓋の覗窓から視認される。該第１の部材を赤色系統の色彩としておけば、遠方からも目立って、操作ノブが示すモードが明確になり、戻し忘れなどを防止することができる。
【考案を実施するための最良の形態】
【００２１】
以下、本考案の実施の形態について説明する。
〔第１の実施の形態〕
図１乃至３は、本考案に係る第１の実施の形態であるスイッチ操作モード識別機構１０を示している。
図１（ａ）、（ｂ）は、本考案にいう第１の部材１１を示し、円板状のパッチで形成され、その色彩は操作ノブの前面の色彩と同一又は近似した色彩系統からなり、例えば青色系統から構成されている。そして、周縁部近傍にはピン１２を通す丸孔１１ａが設けられている。なお、図１（ａ）は正面図、（ｂ）は側面図である。図１（ｃ）、（ｄ）は本考案にいう第２の部材１３を示し、円板状のパッチで形成され、その色彩は赤色系統又は暖色の蛍光色等で構成されている。そして、周縁部近傍にはピン１２を通す丸孔１３ａが設けられている。なお、図１（ｃ）は正面図、（ｄ）は側面図である。
また、図１（ｅ）、（ｆ）は、ドーナツ状の両面接着テープ１４で、前記第２の部材１３の裏面に貼着して更に操作ノブの表面に貼り付けるためのものである。なお、第１の部材１０や第２の部材１３と同様に周縁部に丸孔１４ａが設けられている。なお、図１（ｅ）は正面図、（ｆ）は側面図である。
【００２２】
このスイッチ操作モード識別機構１０の使用方法は、図２に示すように、第２の部材１３の裏面に両面接着テープ１４を貼り付けて、ピン１２により、第１の部材１１と第２の部材１２を回動できるようにナット１２ａで留める。
そして、図１４に示す操作ノブ１４１の前面（表面）に両面接着テープ１４を貼り付ける。図３（ａ）は、その状態を示したものである。操作ノブ１４１が自動モードを示しているときは、第１の部材１１の陰に隠れて、第２の部材１３は視認されない。点検作業等で作業者が操作ノブ１４を手動モードに切り替えると、第１の部材１１はピン１２を支点にして重力の作用で回動するため、図３（ｂ）に示すように、操作ノブ１４１の前方から視認することができる。
第２の部材１３は赤色系統の色彩で構成されているので、操作ノブ１４１は手動モードに設定されていることが明確になり、点検作業等の終了時に戻し忘れを防止することができる。仮に、作業者が戻し忘れをしても、他の点検者が気が付き易くヒューマンエラーによる事故を減少させることができる。
【００２３】
〔第２の実施の形態〕
図４は、本考案に係る第２の実施の形態であるスイッチ操作モード識別機構が配置された切替スイッチの操作ノブを示している。なお、図４（ａ）、（ｂ）は正面図、（ｃ）は（ａ）の側面図、（ｄ）は（ｃ）の側面図、（ｅ）はスイッチ操作モード識別機構嵌め込み型の側面図である。
この切替スイッチの操作ノブ２０は、その前面にスイッチ操作モード識別機構が設けられている。スイッチ操作モード識別機構は、円板状の寒色系統からなる第１の部材２１と、その背後に配置された同じく円板状の赤色系統からなる第２の部材２３と、前記第１の部材２１を第２の部材２３に回動可能に取り付けるピン２２とを有し、更に前記第１の部材２１の前面には中央部に円形の覗窓２４を備えた上蓋２５とで構成されている。
操作モードを、図４（ａ）に示すように、自動にしたときは、上蓋２５の覗窓２４からは寒色系統の第１の部材２１が視認されており、操作ノブ２０を操作モード手動に切り替えると、（ｂ）に示すように、第１の部材２１がピン２２を支点にして重力の作用で移動し覗窓２４からは斜線で示した赤色系統の第２の部材２３が視認される。ここで、第２の部材２３は操作ノブ２０の前面（表面）そのものであっても良く、また図４（ｅ）に示すように、別部材を用いて操作ノブ２０の前面に嵌め込む構成にしても良い。
第２の部材２３は赤色系統の色彩で構成されているので、操作ノブ２０が手動モードに設定されていることが明確になり、点検作業等の終了時に戻し忘れを防止することができることになる。
【００２４】
〔第３の実施の形態〕
次に、第３の実施の形態について説明する。
図５は、スイッチ操作モード識別機構が配置された切替スイッチの操作ノブを示している。なお、図４（ａ）、（ｂ）は正面図、（ｃ）は（ａ）の側面図、（ｄ）は（ｃ）の側面図、（ｅ）はスイッチ操作モード識別機構嵌め込み型の側面図である。
この切替スイッチの操作ノブ３０は、その前面にスイッチ操作モード識別機構が設けられている。スイッチ操作モード識別機構は、円板状の赤色系統からなる第１の部材３１と、その背後に配置された同じく円板状の寒色系統からなる第２の部材３３と、前記第１の部材３１を第２の部材３３に回動可能に取り付けるピン３２とを有し、更に前記第１の部材３１及び第２の部材３３の前面には中央部に円形の覗窓３４を備えた上蓋３５とで構成されている。
操作モードを、図５（ａ）に示すように、自動にしたときは、上蓋３５の覗窓３４からは寒色系統の第２の部材３３が大部分視認されており、操作ノブ３０を操作モード手動に切り替えると、（ｂ）に示すように、第１の部材３１がピン３２を支点にして重力の作用で移動し覗窓３４からは斜線で示した赤色系統の第１の部材３１が視認される。ここで、第２の部材３３は操作ノブ３０の前面（表面）そのものであっても良く、また図５（ｅ）に示すように、別部材を用いて操作ノブ３０の前面に嵌め込む構成にしても良い。
第１の部材３１は赤色系統の色彩で構成されているので、操作ノブ３０が手動モードに設定されていることが明確になり、点検作業等の終了時に戻し忘れを防止することができる。
【００２５】
〔第４の実施の形態〕
次に第４の実施の形態について説明する。
図６は、スイッチ操作モード識別機構が配置された切替スイッチの操作ノブ４０を示し、（ａ）は操作モードが自動に、（ｂ）は手動に操作された状態を示す正面図である。
この切替スイッチの操作ノブ４０は、その前面にスイッチ操作モード識別機構が設けられている。スイッチ操作モード識別機構は、円板状の寒色系統からなる第１の部材４１と、その背後に配置された同じく円板状の赤色系統からなる第２の部材４３と、その一部に前記第１の部材４１がその上を転動可能な略Ｖ字状の棚部４３ａを有するとともに、前記第１の部材の前面には前記操作ノブが前記一方の操作モードに位置する時には第１の部材が視認できる中央位置に円形の覗窓４４が形成された上蓋４５が設けられている。
操作モードを、図６（ａ）に示すように、自動にしたときは、上蓋４５の覗窓４４からは寒色系統の第１の部材４１が視認されており、操作ノブ４０を手動に切り替えると、（ｂ）に示すように、第１の部材４１が重力の作用で第２の部材４３のＶ字状棚部４３ａを転動して覗窓４４から外れ、覗窓４４からは斜線で示した赤色系統の第２の部材４３が視認される。なお、第２の部材４３は操作ノブ４０の前面（表面）そのものであっても良く、また別部材を用いて操作ノブ４０の前面に嵌め込む構成にしても良い。
第２の部材４３は赤色系統の色彩で構成されているので、操作ノブ４０が手動モードに設定されていることが明確になり、点検作業等の終了時に戻し忘れを防止することができる。
【００２６】
〔第５の実施の形態〕
次に、本考案の第５の実施の形態について説明する。
この実施の形態は、第４の実施の形態と、第１と第２の部材の色彩を逆にし、更に第２の部材のＶ字状棚部の位置を変えたものである。
図７は、スイッチ操作モード識別機構が配置された切替スイッチの操作ノブ５０を示し、（ａ）は操作モードが自動に、（ｂ）は手動に操作された状態を示す正面図である。
この切替スイッチの操作ノブ５０は、その前面にスイッチ操作モード識別機構が設けられている。スイッチ操作モード識別機構は、円板状の赤色系統からなる第１の部材５１と、その背後に配置された同じく円板状の寒色系統からなる第２の部材５３と、その一部に前記第１の部材５１がその上を転動可能な略Ｖ字状の棚部５３ａを有するとともに、前記第１の部材５１の前面には前記操作ノブ５０が前記一方の操作モードに位置する時には第２の部材５３が視認できる中央位置に円形の覗窓５４が形成された上蓋５５が設けられている。
操作モードを、図７（ａ）に示すように、自動にしたときは、上蓋５５の覗窓５４からは寒色系統の第２の部材５３が視認されており、操作ノブ５０を手動に切り替えると、（ｂ）に示すように、第１の部材５１が重力の作用で第２の部材５３のＶ字状棚部５３ａを転動して覗窓５４からは斜線で示した赤色系統の第１の部材５１が視認される。なお、第２の部材５３は操作ノブ５０の前面（表面）を利用しても良く、また別部材を用いて操作ノブ５０の前面に嵌め込む構成にしても良い。
第１の部材５１は赤色系統の色彩で構成されているので、操作ノブ５０が手動モードに設定されていることが明確になり、点検作業等の終了時に戻し忘れを防止することができる。
【００２７】
〔第６の実施の形態〕
次に、本考案の第６の実施の形態について説明する。
この実施の形態は、第４の実施の形態から第２の部材の棚部の形状を変え、かつ上蓋に設けられた覗窓の位置を中央から周縁部に変更したものである。
図８は、スイッチ操作モード識別機構が配置された切替スイッチの操作ノブ６０を示し、（ａ）は操作モードが自動に、（ｂ）は手動に操作された状態を示す正面図である。
この切替スイッチの操作ノブ６０は、その前面にスイッチ操作モード識別機構が設けられている。スイッチ操作モード識別機構は、円板状の寒色系統からなる第１の部材６１と、その背後に配置された同じく円板状の赤色系統からなる第２の部材６３と、第２の部材６３の一部に前記第１の部材６１がその上を転動可能な直線状の棚部６３ａが形成されており、前記第１の部材６１の前面には前記操作ノブが自動モードに位置する時に第１の部材６１が丁度視認できる周縁部に円形の覗窓６４が形成された上蓋６５が設けられている。
操作モードを、図８（ａ）に示すように、自動にしたときは、上蓋６５の覗窓６４からは寒色系統の第１の部材６１が視認されており、操作ノブ６０を手動に切り替えると、（ｂ）に示すように、第１の部材６１が重力の作用で第２の部材６３の直線状棚部６３ａを転動して覗窓６４からは斜線で示した赤色系統の第２の部材６３が視認される。なお、第２の部材６３は操作ノブ６０の前面（表面）であっても良く、また別部材を用いて操作ノブ６０の前面に嵌め込む構成にしても良い。
第２の部材６３が赤色系統の色彩で構成されているので、操作ノブ６０が手動モードに設定されていることが明確になり、点検作業等の終了時に戻し忘れを防止することができる。
【００２８】
〔第７の実施の形態〕
次に、本考案の第７の実施の形態について説明する。
この実施の形態は、第６の実施の形態と、第１と第２の部材の色彩を逆にし、更に第２の部材のＶ字状棚部の位置を変えたものである。
図９は、スイッチ操作モード識別機構が配置された切替スイッチの操作ノブ７０を示し、（ａ）は操作モードが自動に、（ｂ）は手動に操作された状態を示す正面図で、（ｃ）は操作ノブの分解斜視図である。
この切替スイッチの操作ノブ７０は、その前面にスイッチ操作モード識別機構が設けられている。スイッチ操作モード識別機構は、円板状の赤色系統からなる第１の部材７１と、その背後に配置された同じく円板状の寒色系統からなる第２の部材７３と、第２の部材７３の一部に前記第１の部材７１がその上を転動可能な直線状の棚部７３ａが形成されており、前記第１の部材７１及び第２の部材７２の前面には前記操作ノブ７０が自動モードに位置する時に第２の部材７３が丁度視認できる周縁部に円形の覗窓７４が形成された上蓋７５が設けられている。
操作モードを、図９（ａ）に示すように、自動にしたときは、上蓋７５の覗窓７４からは寒色系統の第２の部材７３が視認されており、操作ノブ７０を手動に切り替えると、（ｂ）に示すように、第１の部材７１が重力の作用で第２の部材７３の直線状棚部７３ａを転動して覗窓７４からは斜線で示した赤色系統の第１の部材７１が視認される。なお、第２の部材７３は操作ノブ７０の前面（表面）であっても良く、また別部材を用いて操作ノブ７０の前面に嵌め込む構成にしても良い。
このようにしたので、第１の部材７１が赤色系統の色彩で構成されているので、操作ノブ７０が手動モードに設定されていることが明確になり、点検作業等の終了時に戻し忘れを防止することができる。
【００２９】
〔第８の実施の形態〕
次に、本考案の第８の実施の形態について説明する。
図１０は、スイッチ操作モード識別機構が配置された切替スイッチの操作ノブ８０を示し、（ａ）は操作モードが自動に、（ｂ）は手動に操作された状態を示す正面図である。
この切替スイッチの操作ノブ８０は、その前面にスイッチ操作モード識別機構が設けられている。スイッチ操作モード識別機構は、寒色系統からなる液状の第１の部材８１と、その背後に配置された同じく円板状でその一部に略Ｖ字状の棚部８３ａを有するの赤色系統からなる第２の部材８３とを備え、該第２部材の前面には中央部に円形の覗窓８４が設けられた上蓋８５が配置されている。前記液状の第１の部材８１は前記第２の部材８３の棚部８３ａと上蓋８５によって形成されたポケットに収納されている。
操作モードを、図１０（ａ）に示すように、自動にしたときは、上蓋８５の覗窓８４からは寒色系統の第１の部材８１が視認されており、操作ノブ８０を手動に切り替えると、（ｂ）に示すように、第１の部材８１が重力の作用で第２の部材８３のＶ字状棚部８３ａを移動して覗窓８４から外れ、覗窓８４からは斜線で示した赤色系統の第２の部材８３が視認される。
これにより、操作ノブ８０が手動モードに設定されていることが明確になり、点検作業等の終了時に戻し忘れを防止することができる。なお、第２の部材８３としては不燃性絶縁油などを用いることが好ましい。また、不燃性絶縁油に換えて砂時計用の着色砂や或いは着色ビーズなどを用いることも可能である。
【００３０】
〔第９の実施の形態〕
この実施の形態は、第８の実施の形態と、第１と第２の部材の色彩を逆にし、更に第２の部材のＶ字状棚部の位置を変えたものである。
図１１は、スイッチ操作モード識別機構が配置された切替スイッチの操作ノブ９０を示し、（ａ）は操作モードが自動に、（ｂ）は手動に操作された状態を示す正面図である。
この切替スイッチの操作ノブ９０は、その前面にスイッチ操作モード識別機構が設けられている。スイッチ操作モード識別機構は、赤色系統からなる液状の第１の部材９１と、その背後に配置された同じく円板状でその一部に略Ｖ字状の棚部９３ａを有するの寒色系統からなる第２の部材９３とを備え、該第２部材の前面には中央部に円形の透明部材からなる覗窓９４が設けられた上蓋９５が配置されている。前記液状の第１の部材９１は前記第２の部材９３の棚部９３ａと上蓋９５によって形成されたポケットに収納されている。
操作モードを、図１１（ａ）に示すように、自動にしたときは、上蓋９５の覗窓９４からは寒色系統の第２の部材９２が視認されており、操作ノブ９０を手動に切り替えると、（ｂ）に示すように、第１の部材９１が重力の作用で第２の部材９３のＶ字状棚部９３ａを移動して覗窓９４からは斜線で示した赤色系統の第１の部材９２が視認される。
これにより、操作ノブ９０が手動モードに設定されていることが明確になり、点検作業等の終了時に戻し忘れを防止することができる。
【００３１】
〔第１０の実施の形態〕
次に、本考案の第１０の実施の形態について説明する。
この実施の形態は、第８の実施の形態から第２の部材の棚部の形状を変え、かつ上蓋に設けられた覗窓の位置を中央から周縁部に変更したものである。
図１２は、スイッチ操作モード識別機構が配置された切替スイッチの操作ノブ１００を示し、（ａ）は操作モードが自動に、（ｂ）は手動に操作された状態を示す正面図である。
この切替スイッチの操作ノブ１００は、その前面にスイッチ操作モード識別機構が設けられている。スイッチ操作モード識別機構は、寒色系統からなる液状の第１の部材１０１と、その背後に配置された同じく円板状でその一部に直線状の棚部１０３ａを有するの赤色系統からなる第２の部材１０３とを備え、該第２部材の前面には周縁部に円形の透明部材からなる覗窓１０４が設けられた上蓋１０５が配置されている。前記液状の第１の部材１０１は前記第２の部材１０３の棚部１０３ａと上蓋１０５によって形成されたポケットに収納されている。
操作モードを、図１２（ａ）に示すように、自動にしたときは、上蓋１０５の覗窓１０４からは寒色系統の第１の部材１０１が視認されており、操作ノブ１００を手動モードに切り替えると、（ｂ）に示すように、第１の部材１０１が重力の作用で第２の部材１０３の直線状棚部１０３ａを移動して覗窓１０４からは斜線で示した赤色系統の第２の部材１０３が視認される。
これにより、操作ノブ１００が手動モードに設定されていることが明確になり、点検作業等の終了時に戻し忘れを防止することができる。
【００３２】
〔第１１の実施の形態〕
次に、本考案の第１１の実施の形態について説明する。
この実施の形態は、第１０の実施の形態から第１と第２の部材の色彩を逆にし、更に第２の部材の直線状棚部の位置を変えたものである。
図１２は、スイッチ操作モード識別機構が配置された切替スイッチの操作ノブ１１０を示し、（ａ）は操作モードが自動に、（ｂ）は手動に操作された状態を示す正面図である。
この切替スイッチの操作ノブ１１０は、その前面にスイッチ操作モード識別機構が設けられている。スイッチ操作モード識別機構は、赤色系統からなる液状の第１の部材１１１と、その背後に配置された同じく円板状でその一部に直線状の棚部１１３ａを有するの寒色系統からなる第２の部材１１３とを備え、該第２部材１１３の前面には周縁部に円形の覗窓１１４が設けられた上蓋１１５が配置されている。前記液状の第１の部材１１１は前記第２の部材１１３の棚部１１３ａと上蓋１１５によって形成されたポケットに収納されている。
操作モードを、図１３（ａ）に示すように、自動にしたときは、上蓋１１５の覗窓１１４からは寒色系統の第１の部材１０１が視認されており、操作ノブ１００を手動モードに切り替えると、（ｂ）に示すように、第１の部材１１１が重力の作用で第２の部材１１３の直線状棚部１１３ａを移動して覗窓１１４からは斜線で示した赤色系統の第２の部材１１３が視認される。
これにより、操作ノブ１１０が手動モードに設定されていることが明確になり、点検作業等の終了時に戻し忘れを防止することができる。
【００３３】
なお、上記実施の形態では、操作モードは手動と自動の２段階としたが、リニアに変化する場合にも対応することができ、覗窓から視認される色彩が徐々に変化することを利用することができる。また、覗窓は円形が望ましいが、形を変えることによって、各国プラントで慣習となっている形状にすることもできる。また、操作ノブ本体の色が赤色系統の場合には、白・青等の本体色と相反する色を採用すると目立つことになる。
【産業上の利用可能性】
【００３４】
本考案は、下水道プラントの操作盤の操作ノブに限らず、病院等の非常用電源の操作ノブや原子力発電等の操作ノブなど、世界中のあらゆるプラントにある同タイプの操作ノブにも利用することができる。
【図面の簡単な説明】
【００３５】
【図１】本考案に係るスイッチ操作モード識別機構の部材を示したものである。
【図２】図１に示すスイッチ操作モード識別機構の組み付け方法を示した図である。
【図３】図１に示すスイッチ操作モード識別機構を操作ノブに取り付けた状態の正面図で、（ａ）は操作モードが自動の場合、（ｂ）は手動の場合示した図である。
【図４】本考案に係る切替スイッチの操作ノブの第２の実施の形態を示した図である。
【図５】本考案に係る切替スイッチの操作ノブの第３の実施の形態を示した図である。
【図６】本考案に係る切替スイッチの操作ノブの第４の実施の形態を示した図である。
【図７】本考案に係る切替スイッチの操作ノブの第５の実施の形態を示した図である。
【図８】本考案に係る切替スイッチの操作ノブの第６の実施の形態を示した図である。
【図９】本考案に係る切替スイッチの操作ノブの第７の実施の形態を示した図である。
【図１０】本考案に係る切替スイッチの操作ノブの第８の実施の形態を示した図である。
【図１１】本考案に係る切替スイッチの操作ノブの第９の実施の形態を示した図である。
【図１２】本考案に係る切替スイッチの操作ノブの第１０の実施の形態を示した図である。
【図１３】本考案に係る切替スイッチの操作ノブの第１１の実施の形態を示した図である。
【図１４】プラントなどの操作盤を示した図である。
【符号の説明】
【００３６】
１０    スイッチ操作モード識別機構
１１，２１，３１，４１，５１，６１，７１，８１，９１，１０１，１１１    第１の部材
１２，２２，３２    ピン
１２ａ  ナット
１３，２３，３３，４３，５３，６３，７３，８３，９３，１０３，１１３    第２の部材
４３ａ，５３ａ，６３ａ，７３ａ，８３ａ，９３ａ，１０３ａ，１１３ａ  棚  部
２０，３０，４０，５０，６０，７０，８０，９０，１００，１１０  操作ノブ
２４，３４，４４，５４，６４，７４，８４，９４，１０４，１１４  覗窓
２５，３５，４５，５５，６５，７５，８５，９５，１０５，１１５  上蓋
１４０  操作盤
１４１  操作ノブ
【図１】
0003143833.tif 000003
【図２】
0003143833.tif 000004
【図３】
0003143833.tif 000005
【図４】
0003143833.tif 000006
【図５】
0003143833.tif 000007
【図６】
0003143833.tif 000008
【図７】
0003143833.tif 000009
【図８】
0003143833.tif 000010
【図９】
0003143833.tif 000011
【図１０】
0003143833.tif 000012
【図１１】
0003143833.tif 000013
【図１２】
0003143833.tif 000014
【図１３】
0003143833.tif 000015
【図１４】
0003143833.tif 000016